(57)【要約】【課題】薄型テレビを美しく設置するには、壁掛けすることが望ましいが、壁掛けのためには、壁に孔をあけるなどの工事が必要になる。また、壁掛けすると、容易に設置場所を変更できない。【解決手段】薄型ＴＶ用ラック１は、キャスター６を有するベースフレーム２と、ベースフレーム２に設けられた背支柱１０と、薄型テレビ１００を背支柱１０に係止するための係止機構１３と、薄型テレビ１００に繋がる配線１０１を背支柱１０に沿って引き回すための配線引き回しスペース２７と、薄型テレビ１００が背支柱１０に係止された状態において、薄型テレビ１００と背支柱１０および配線引き回しスペース２７との間に取り付け可能な背板５と、を含んでいる。背板５は、薄型テレビ１００が壁掛けされているように見せる後壁を形成する。【選択図】図８
2008252687.tif 000002
【特許請求の範囲】
【請求項１】
キャスターを有するベースフレームと、
ベースフレームから上方へ立ち上がっている背支柱と、
薄型テレビを背支柱に係止するための係止手段と、
係止手段によって薄型テレビが係止された状態において、薄型テレビに繋がる配線を背支柱に沿って引き回すための配線引き回しスペースと、
薄型テレビが背支柱に係止された状態において、薄型テレビと背支柱および配線引き回しスペースとの間に取り付け可能な背板と、を有することを特徴とする薄型ＴＶ用ラック。
【請求項２】
上記ベースフレームには、薄型ＴＶ用ラックの正面側から見てベースフレームを隠すようにキャビネットが結合されていることを特徴とする請求項１記載の薄型ＴＶ用ラック。
【請求項３】
上記背板は、薄型テレビと背支柱および配線引き回しスペースとの間に取り付けられたときに、薄型テレビが壁掛けされているように見せる後壁を形成することを特徴とする請求項１または２記載の薄型ＴＶ用ラック。
【請求項４】
上記背板は、複数枚に分割されていて、互いの当接面で当接されるようになっており、当接面に対して凹まされた凹部に、上記係止手段および配線が挿通されることを特徴とする請求項３記載の薄型ＴＶ用ラック。
【請求項５】
上記係止手段は、背支柱から水平方向に延びるバーと、薄型テレビの背面に固定され、バーに引っ掛けることで薄型テレビをバーに係止するためのフックと、を含んでいることを特徴とする請求項１〜４の何れか１項に記載の薄型ＴＶ用ラック。
【請求項６】
上記バーは、背支柱に対して、その高さ位置が調整可能に設けられていることを特徴とする請求項５記載の薄型ＴＶ用ラック。
【発明の詳細な説明】
【技術分野】
【０００１】
この発明は、薄型ＴＶ用ラックに関する。
【背景技術】
【０００２】
液晶テレビなどの薄型テレビは、家の壁などに取り付けられるようになっている（たとえば、特許文献１参照）。また、薄型テレビを、家の天井に固定したパイプで吊り下げる構成が提案されている（たとえば、特許文献２参照。）。さらに、床と天井との間に延びる支柱を用いて水平に延びるポールを支持し、このポールに取り付けられた金具に薄型テレビを固定する構成が提案されている（たとえば、特許文献３参照。）。
【特許文献１】特開平１０−２０７３８５号公報
【特許文献２】登録実用新案第３１０２９２４号公報
【特許文献３】登録実用新案第３１２１６２１号公報
【発明の開示】
【発明が解決しようとする課題】
【０００３】
ところで、薄型テレビを、その薄さを活かして美しく設置するには、この薄型テレビを壁に掛けることが望ましい。
しかしながら、特許文献１のように、バーなどの取付部材を介して薄型テレビを壁に固定する場合には、取付部材を壁に固定するという手間のかかる作業が必要であり、しかも壁に孔があいてしまう。また、テレビの背面側の隙間が狭いことから、テレビの背面に繋がる複数の配線をきれいに引き回し難い。また、薄型テレビの固定後に配線を隠そうとすると、壁内に配線を通すなどの作業が必要になり、手間がかかる。
【０００４】
また、特許文献１，２，３では、テレビの配置場所が固定されてしまうこととなり、テレビの配置場所を容易に変更できない。
この発明は、かかる背景のもとでなされたもので、薄型テレビの設置にかかる手間を少なくすることのできる薄型ＴＶ用ラックを提供することを目的とする。
この発明の別の目的は、薄型テレビを美しく設置することのできる薄型ＴＶ用ラックを提供することにある。
【０００５】
この発明のさらに別の目的は、薄型テレビに繋がる配線をきれいに処理することのできる薄型ＴＶ用ラックを提供することにある。
この発明のさらに別の目的は、薄型テレビの設置場所を容易に変更することのできる薄型ＴＶ用ラックを提供することにある。
【課題を解決するための手段】
【０００６】
上記の目的を達成するための請求項１記載の発明は、キャスターを有するベースフレームと、ベースフレームから上方へ立ち上がっている背支柱と、薄型テレビを背支柱に係止するための係止手段と、係止手段によって薄型テレビが係止された状態において、薄型テレビに繋がる配線を背支柱に沿って引き回すための配線引き回しスペースと、薄型テレビが背支柱に係止された状態において、薄型テレビと背支柱および配線引き回しスペースとの間に取り付け可能な背板と、を有することを特徴とする薄型ＴＶ用ラックである。
【０００７】
この構成によれば、薄型テレビを、係止手段を介して背支柱で支持することができる。これにより、薄型テレビを家や店舗などの建築物の壁に固定する作業が不要となる。壁を工事する必要がないことから、薄型テレビの設置にかかる手間を少なくすることができる。また、薄型テレビと、背支柱および配線引き回しスペースと、の間に背板が配置されている。これにより、薄型ＴＶ用ラックを正面側から見て、背支柱および配線引き回しスペースを、背板で隠すことができ、しかも、背板を後壁として用いることができる。その結果、薄型テレビを美しく設置することができる。また、配線を背支柱に沿って整然と配設することができるので、配線をきれいに処理することができる。さらに、キャスターを用いて薄型テレビ用ラックを移動することにより、薄型テレビを容易に移動することができる。薄型テレビの設置場所を容易に変更できる。
【０００８】
請求項２記載の発明は、上記ベースフレームには、薄型ＴＶ用ラックの正面側から見てベースフレームを隠すようにキャビネットが結合されていることを特徴とする請求項１記載の薄型ＴＶ用ラックである。
この構成によれば、薄型テレビの下方に配置されたキャビネット内に、テレビ関連の機器、たとえば、ビデオデッキや、ＤＶＤプレーヤーや、ホームシアターシステムなどの、薄型テレビに接続される機器を、キャビネットに収容することができる。また、薄型テレビの荷重を受けるベースフレームを、キャビネットの重みで押さえつけることができる結果、背支柱が倒れてしまうことを防ぐことができる。キャビネットを設けない場合と比較して、背支柱が転倒し難い。
【０００９】
請求項３記載の発明は、上記背板は、薄型テレビと背支柱および配線引き回しスペースとの間に取り付けられたときに、薄型テレビが壁掛けされているように見せる後壁を形成することを特徴とする請求項１または２記載の薄型ＴＶ用ラックである。
この構成によれば、薄型テレビを壁掛け風に設置することができる。これにより、薄型テレビの特徴である薄さを活かした態様で薄型テレビを設置できる。
【００１０】
請求項４記載の発明は、上記背板は、複数枚に分割されていて、互いの当接面で当接されるようになっており、当接面に対して凹まされた凹部に、上記係止手段および配線が挿通されることを特徴とする請求項３記載の薄型ＴＶ用ラックである。
この構成によれば、薄型テレビが係止手段によって係止され、かつ、配線が配線引き回しスペースに引き回された状態で、背板の各部材を当接させて背板を完成することができる。つまり、薄型テレビを係止手段に係止するときや、配線を引き回すときには背板はなく、薄型テレビの係止および配線の引き回しが容易に行える。そして、その後に、背板を取り付けるので、薄型ＴＶ用ラックの組み立てを容易に行える。
【００１１】
請求項５記載の発明は、上記係止手段は、背支柱から水平方向に延びるバーと、薄型テレビの背面に固定され、バーに引っ掛けることで薄型テレビをバーに係止するためのフックと、を含んでいることを特徴とする請求項１〜４の何れか１項に記載の薄型ＴＶ用ラックである。
この構成によれば、フックをバーに引っ掛けるという簡易な作業によって、薄型テレビを係止することができる。
【００１２】
請求項６記載の発明は、上記バーは、背支柱に対して、その高さ位置が調整可能に設けられていることを特徴とする請求項５記載の薄型ＴＶ用ラックである。
この構成によれば、バーの高さ位置を調整することにより、薄型テレビの高さ位置を変更することができる。
【発明を実施するための最良の形態】
【００１３】
以下には、図面を参照して、この発明の実施形態について具体的に説明する。
図１は、本発明の一実施形態にかかる薄型ＴＶ用ラック１の概略構成を示す斜視図であり、薄型ＴＶ用ラック１を前側から見た状態を示している。図２は、薄型ＴＶ用ラック１を後側から見た斜視図である。図３は、薄型ＴＶ用ラック１の分解斜視図である。図４（Ａ）は、薄型ＴＶ用ラック１の正面図であり、図４（Ｂ）は、薄型ＴＶ用ラック１の右側面図である。
【００１４】
なお、以下では、薄型ＴＶ用ラック１を正面側から見た状態を基準として、前後、左右、および上下をいうものとする。
図１および図２を参照して、薄型ＴＶ用ラック１は、薄型テレビ１００が壁に掛けられているように（壁掛け風に）見せつつ、この薄型テレビ１００を支持するものである。薄型テレビ１００として、液晶テレビや、プラズマテレビといった、高さ方向の長さに比べて奥行き方向の長さが短いテレビを例示することができる。
【００１５】
図３を参照して、薄型ＴＶ用ラック１は、ベースフレーム２と、サブフレーム３と、ベースフレーム２およびサブフレーム３によって支持されるキャビネット４と、キャビネット４の後部上方に配置される背板５と、を有している。
ベースフレーム２は、金属製の板材を用いて形成されており、下部に複数のキャスター６が取り付けられている。キャスター６が床の上に置かれるようになっている。サブフレーム３は、金属製の板材を用いて形成されており、下部に複数のキャスター６が取り付けられている。このサブフレーム３は、ベースフレーム２を左右に挟んで一対設けられている。
【００１６】
キャビネット４は、ビデオデッキや、ＤＶＤプレーヤーや、ホームシアターシステムなどの、薄型テレビ１００に接続される機器（図示せず）を収容することができるものである。キャビネット４の底面に、ベースフレーム２、および一対のサブフレーム３がビスなどを用いて固定されるようになっている。
図１および図２を参照して、キャビネット４の右側板７および左側板８は、それぞれ、キャスター６の下端（床）に近接する位置まで下方に延びている。また、キャビネット４の前端には、正面側から見たときにキャスター６を隠すように左右に延びる板部材９が設けられている。
【００１７】
上記の構成により、薄型ＴＶ用ラック１を正面側から見て、ベースフレーム２およびサブフレーム３，３には、これらベースフレーム２およびサブフレーム３，３を隠すようにキャビネット４が結合されている。
ベースフレーム２の後端に、背支柱１０が設けられている。この背支柱１０は、金属板を用いて形成されており、ベースフレーム２から上方に立ち上がっている。
【００１８】
図４（Ａ）および図４（Ｂ）を参照して、背支柱１０は、左右に並ぶ一対の直線部１１，１２を含んでいる。一対の直線部１１，１２は、キャビネット４の後方に配置されており、キャビネット４の後端に接している。
図５は、図４（Ａ）のＶ−Ｖ線に沿う要部の断面図である。図６は、背板５を取り外した状態の薄型ＴＶ用ラック１の斜視図である。図５および図６を参照して、薄型ＴＶ用ラック１は、薄型テレビ１００を背支柱１０に係止するための係止機構１３（係止手段）を有している。
【００１９】
係止機構１３は、一対の側板１４，１５を有するとともに、一対の直線部１１，１２の先端部同士を連結するブラケット１６と、ブラケット１６の一対の側板１４，１５から延びるバー１７と、バー１７に引っ掛けられるフック１８と、を含んでいる。
図４（Ａ）、図４（Ｂ）および図５を参照して、ブラケット１６は、断面略コ字状をしており、前述した一対の側板１４，１５と、一対の側板１４，１５の前端部１４ｂ，１５ｂ同士を接続する正面板１９と、を含んでいる。
【００２０】
各側板１４，１５を折り曲げて形成された被固定面１４ａ，１５ａが、対応する直線部１１，１２の固定面１１ａ，１２ａにねじなどを用いて固定されている。各側板１４，１５は、一対の直線部１１，１２から前方に延びており、前端部１４ｂ，１５ｂが背板５の前方に突出している。
各側板１４，１５の前端部１４ｂ，１５ｂには、係止機構１３のバー１７を挿通するためのバー挿通孔２０が複数設けられている。各側板１４，１５において、バー挿通孔２０は、上下に等間隔に複数（たとえば、８つ）形成されている。一方の側板１４のバー挿通孔２０と、他方の側板１５の対応するバー挿通孔２０とは、上下方向の位置が揃えられている。
【００２１】
正面板１９には、薄型テレビ１００に繋がる配線１０１を通すための配線挿通孔２１が複数設けられている。配線挿通孔２１は、上下に等間隔に複数（たとえば、４つ）形成されている。薄型テレビ１００の背面１０１ａからの配線１０１は、配線挿通孔２１を通して背板５の後方に延ばされている。
バー１７は、ブラケット１６の各側板１４，１５のバー挿通孔２０，２０を挿通しており、ブラケット１６を介して背支柱１０から水平方向に延びている。バー１７と対応するバー挿通孔２０，２０との間には、それぞれ、ブッシュ２２が介装されている。各ブッシュ２２は、ジュラコン（ＰＯＭ）などの合成樹脂を用いて形成されている。各ブッシュ２２の一端に形成された鍔部２２ａが、対応するバー挿通孔２０，２０に嵌合されている。
【００２２】
各鍔部２２ａ，２２ａの先端は、バー挿通孔２０，２０からの抜けを防止するために僅かに拡径されている。
バー１７が挿通するバー挿通孔２０，２０を変更することにより、背支柱１０に対するバー１７の高さ位置を調整することができる。この実施形態において、バー１７は、２本設けられて上下に並んでいる。一方のバー１７と他方のバー１７は、それぞれ、一対の側板１４，１５に同様に支持されている。
【００２３】
各バー１７の一端には、ストッパ２３が取り外し可能に装着されている。ストッパ２３によって、フック１８を取り付けた薄型テレビ１００の右側への移動が規制される。各バー１７の他端には、ストッパ２４が取り外し可能に装着されている。ストッパ２４によって、フック１８を取り付けた薄型テレビ１００の左側への移動が規制される。
図７は、図６のフック１８の周辺の要部の断面図である。図６および図７を参照して、フック１８は、金属板をプレス加工して形成されており、薄型テレビ１００の背面１００ａに固定される被固定部２５と、被固定部２５の後方に配置され、バー１７に係合するための鉤状部２６と、を含んでいる。
【００２４】
被固定部２５は、たとえば、薄型テレビ１００の背面１００ａに埋設されたインサートナットにねじ部材（図示せず）を結合することにより、薄型テレビ１００の背面１００ａに固定されている。
鉤状部２６は、バー１７の数に対応して上下２箇所に設けられている。各鉤状部２６，２６に、対応するバー１７，１７が引っ掛けられている。これにより、薄型テレビ１００が、バー１７，１７に係止されている。
【００２５】
この実施形態において、フック１８は、薄型テレビ１００の背面１００ａに、左右に離隔して２つ設けられている。また、各フック１８は、断面コ字状に形成されており、鉤状部２６が左右方向において２箇所設けられている。なお、各フック１８を断面Ｌ字状に形成し、鉤状部２６を左右方向において１箇所にのみ設けてもよい。
上述のように、薄型テレビ１００の背面１００ａには、左右にフック１８を取り付けられる構成がある。しかし、薄型テレビ１００のメーカにより、フック１８を取り付けるための構成の巾は異なる。これに対し、この実施形態では横長のバー１７を用いていることにより、薄型テレビ１００に対するフック１８の取り付け位置が異なっていても、バー１７にフック１８を引っ掛けることができ、汎用性を高くしている。
【００２６】
図２および図５を参照して、薄型ＴＶ用ラック１には、配線引き回しスペース２７が設けられている。この配線引き回しスペース２７は、係止機構１３によって薄型テレビ１００が係止された状態において、薄型テレビ１００の背面１０１ａに繋がる複数の配線１０１を背支柱１０に沿って引き回すためのものである。
配線引き回しスペース２７は、背板５の後方の空間であって、背支柱１０の近傍の空間を含んでいる。この配線引き回しスペース２７は、ブラケット１６のＵ字の内側に区画され、背板５の前方に位置する空間２８に連通している。
【００２７】
薄型テレビ１００の背面１００ａに接続された配線１０１は、配線挿通孔２１を通って、ブラケット１６の内側の空間２８に進み、さらに、配線引き回しスペース２７に延びる。配線引き回しスペース２７に延びた配線１０１は、背支柱１０に沿って下方に延び、キャビネット４の底面から延びる断面溝状の配線受け部材２９に受けられ、さらに、キャビネット４の背面に形成された挿通孔３０を通して、キャビネット４内に延びている。なお、配線受け部材２９を廃止してもよい。
【００２８】
背板５は、薄型テレビ１００が係止機構１３に係止された状態において、薄型テレビ１００と、背支柱１０および配線引き回しスペース２７と、の間に取り外し可能に設置されている。
図４（Ａ）および図４（Ｂ）を参照して、この背板５は、複数枚（たとえば、３枚）に分割されており、右下板３１と、左下板３２と、上板３３と、を含んでいる。
【００２９】
右下板３１および左下板３２は、それぞれ、略矩状の板であって、一つの角が矩形状に切り欠かれた板を用いて形成されている。これら右下板３１および左下板３２は、キャビネット４の上面４ａの後端に配置されている。上板３３は、略矩状の板であって、一辺の中央が矩形状に切り欠かれた板を用いて形状されており、右下板３１および左下板３２の上方に配置されている。
【００３０】
右下板３１および左下板３２は、左右方向に相対向する当接面３１ａ，３２ａで互いに当接されている。これらの当接面３１ａ，３２ａは、それぞれ、平坦な面に形成されている。右下板３１および上板３３は、上下方向に相対向する当接面３１ｂ，３３ｂで互いに当接されている。当接面３１ｂ，３３ｂの一方は、左右方向に長い凸条を有し、他方は左右方向に長い凹条を有している。これらの凸条および凹条が互いに嵌め合わされることにより、当接面３１ｂ、３３ｂの互いの連結の強度が高められている。左下板３２および上板３３は、上下方向に相対向する当接面３２ｂ，３３ｂで互いに当接されている。当接面３２ｂ，３３ｂの一方は、左右方向に長い凸条を有し、他方は左右方向に長い凹条を有している。これらの凸条および凹条が互いに嵌め合わされることにより、当接面３１ｂ、３３ｂの互いの連結の強度が高められている。
【００３１】
図３および図４（Ａ）を参照して、背板５には、係止機構１３のブラケット１６および配線１０１を挿通するための凹部３１ｃ，３２ｃ，３３ｃが形成されている。凹部３１ｃは、右下板３１の当接面３１ａに対して凹まされて形成されている。凹部３２ｃは、左下板３２の当接面３２ａに対して凹まされて形成されている。凹部３３ｃは、上板３３の当接面３３ｂに対して凹まされて形成されている。これらの凹部３１ｃ，３２ｃ，３３ｃは、互いに連通しており、各板３１〜３３が互いに当接されたときに、ブラケット１６および配線１０１を挿通するための挿通孔を区画する。
【００３２】
上板３３、右下板３１およびキャビネット４の右端部は、金属板をＬ字状に形成した固定部材３６を用いて互いに取り外し可能に固定されている。この固定は、ねじなどを用いて行われる。同様に、上板３３、左下板３２およびキャビネット４の左端部は、金属板をＬ字状に形成した固定部材３７を用いて互いに取り外し可能に固定されている。この固定は、ねじなどを用いて行われる。なお、固定部材３６，３７を用いることなく、右下板３１、左下板３２および上板３３を取り付けてもよい。
【００３３】
また、右下板３１は、背支柱１０の一方の直線部１１にねじなどを用いて取り外し可能に固定されている。左下板３２は、背支柱１０の他方の直線部１２にねじなどを用いて取り外し可能に固定されている。上板３３は、背支柱１０の各直線部１１，１２にねじなどを用いて取り外し可能に固定されている。
図８は、背板５の取り付けの一例について説明するための斜視図である。図８を参照して、薄型テレビ１００が係止機構１３によって係止され、かつ、薄型テレビ１００に繋がる配線１０１が配線引き回しスペース２７に配置された後に、背板５が組み付けられる。
【００３４】
背板５の組み付けは、右下板３１をキャビネット４の上面４ａに沿わせながら左に動かすることにより、その凹部３１ｃにブラケット１６の一部を嵌め合わせる。次に、左下板３２をキャビネット４の上面４ａに沿わせながら右に動かすることにより、その凹部３２ｃにブラケット１６の一部を嵌め合わせる。このとき、右下板３１および左下板３２の互いの当接面が当接される。
【００３５】
次に、上板３３をブラケット１６の上方から下ろし、その凹部３３ｃをブラケット１６の一部に嵌め合わせる。このとき、右下板３１および上板３３の互いの当接面３１ｂ，３３ｂが当接されるとともに、左下板３２および上板３３の互いの当接面３２ｂ，３３ｂが当接される。
右下板３１、左下板３２および上板３３を互いに当接した後、固定部材３６，３７（図３参照）などを用いて、これらの板３１，３２，３３を固定する。
【００３６】
薄型テレビ１００が係止機構１３を介して背支柱１０に係止されているとき、背板５の凹部３１ｃ，３２ｃ，３３ｃ、および係止機構１３は、図１に示すように、正面側から見て、薄型テレビ１００によって隠されている。また、薄型テレビ１００は、キャビネット４の上面４ａの上方に位置しており、キャビネット４に対して浮いているように見せられている。
【００３７】
このとき、すなわち、薄型テレビ１００と背支柱および配線引き回しスペースとの間に背板５が取り付けられたとき、背板５は、薄型テレビ１００が壁掛けされているように見せる後壁を形成する。
以上説明したように、この実施形態によれば、薄型テレビ１００を、係止機構１３を介して背支柱１０で支持することができる。薄型テレビ１００を、家や店舗などの建築物の壁に固定する作業が不要となる。壁を工事する必要がないことから、薄型テレビ１００の設置にかかる手間を少なくすることができる。
【００３８】
また、薄型テレビ１００と、背支柱１０および配線引き回しスペース２７と、の間に背板５が配置されている。これにより、薄型ＴＶ用ラック１を正面側から見て、背支柱１０および配線引き回しスペース２７を、背板５で隠すことができ、しかも、背板５を後壁として用いることができる。その結果、薄型テレビ１００を美しく設置することができる。また、配線１０１を背支柱１０に沿って整然と配設することができるので、配線をきれいに処理することができる。
【００３９】
さらに、キャスター６を用いて薄型ＴＶ用ラック１を移動することにより、薄型テレビ１００を容易に移動することができる。これにより、薄型テレビ１００の設置場所を容易に変更でき、室内の模様替えを容易に行うことができる。
また、薄型テレビ１００の下方に配置されたキャビネット４内に、テレビ関連の機器、たとえば、ビデオデッキや、ＤＶＤプレーヤーや、ホームシアターシステムなどの、薄型テレビに接続される機器を、キャビネット４に収容することができる。また、薄型テレビ１００の荷重を受けるベースフレーム２を、キャビネット４の重みで押さえつけることができる結果、背支柱１０が倒れてしまうことを防ぐことができる。キャビネット４を設けない場合と比較して、背支柱１０が転倒し難い。
【００４０】
さらに、背板５は、薄型テレビ１００が壁掛けされているように見せる後壁を形成するようになっている。これにより、薄型テレビ１００を壁掛け風に設置することができ、薄型テレビ１００の特徴である薄さを活かした態様で薄型テレビ１００を設置できる。
また、背板５の各当接面３１ａ，３１ｂ，３２ａ，３２ｂ，３３ｂを避けるように凹まされた凹部３１ｃ，３２ｃ，３３ｃに、係止機構１３のブラケット１６および配線１０１が挿通されるようになっている。これにより、薄型テレビ１００が係止機構１３によって係止され、かつ、配線１０１が配線引き回しスペース２７に引き回された状態で、背板５の各板３１，３２，３３を当接させて背板５を完成することができる。つまり、薄型テレビ１００を係止機構１３に係止するときや、配線１０１を引き回すときには背板５はなく、薄型テレビ１００の係止および配線１０１の引き回しが容易に行える。そして、その後に、背板５を取り付けるので、薄型ＴＶ用ラック１の組み立てを容易に行える。
【００４１】
また、フック１８の鉤状部２６をバー１７に引っ掛けるという簡易な作業によって、薄型テレビ１００を係止することができる。さらに、バー１７の高さ位置を調整することにより、薄型テレビ１００の高さ位置を変更することができる。
また、横長のバー１７を用いていることにより、薄型テレビ１００に対するフック１８の取り付け位置が薄型テレビ１００のメーカなどにより異なっていても、バー１７にフック１８を引っ掛けることができ、汎用性を高くできる。
【００４２】
さらに、配線１０１を、配線引き回しスペース２７から配線挿通孔２１を通して薄型テレビ１００に繋げることができる。薄型テレビ１００に近接する箇所に配線挿通孔２１が設けられていることにより、薄型テレビ１００を係止した後の配線作業を容易に行うことができる。しかも、背板５がない状態で配線処理をすることができ、配線処理の際に背板５が邪魔にならない。
【００４３】
また、薄型テレビ１００の荷重を、係止機構１３および背支柱１０を介してベースフレーム２で受けるようにしている。これにより、薄型テレビ１００の支持剛性を高くでき。薄型テレビ１００を安定して支持できる。
さらに、薄型テレビ１００を設置する際の薄型テレビ１００に対する加工としては、汎用のフック１８を取り付ける加工のみでよく、薄型テレビのメーカやサイズや機種などに対応した専用部材を設ける必要がない。薄型テレビ１００のメーカやサイズや機種に拘らず、薄型テレビ１００を係止機構１３で係止でき、薄型ＴＶ用ラック１の汎用性を高くできる。
【００４４】
この発明は、以上の実施形態の内容に限定されるものではなく、請求項記載の範囲内において種々の変更が可能である。
たとえば、図９（Ａ）および図９（Ｂ）に示すように、フック１８にストッパプレート３９を取り付けることで、バー１７がフック１８から外れることを防止してもよい。ストッパプレート３９は、ねじ４０およびナット４１を用いてフック１８に取り外し可能に取り付けられている。ストッパプレート３９とフック１８の鉤状部２６とが協働して、バー１７の周囲を取り囲んでおり、バー１７が径方向に相対移動することを規制している。これにより、フック１８がバー１７から落ちることを防止でき、薄型テレビ１００の落下をより確実に防止できる。
【００４５】
また、サブフレーム３を廃止してもよい。この場合、サブフレーム３に代えて、図１０に示すように、キャビネット４の底面の一部を突出させ、この突出部にキャスタ−６が取り付けられる。
また、図１１に示すように、ブラケット１６の一対の側板１４，１５の後端部同士を接続する正面板１９を設けてもよい。この場合、正面板１９は、背板５よりも後方に配置される。配線引き回しスペース２７は、背板５と正面板１９との間の空間を含んでいる。
【００４６】
背支柱１０の各直線部１１，１２は、断面コ字状のＣ型チャンネルを用いて形成されている。バー１７と各ブッシュ２２とは、ねじ部材４２を用いて互いに固定されている。また、各ブッシュ２２は、対応する側板１４，１５の内側面に当接している。これにより、バー１７が各ブッシュ２２から抜けないようにするとともに、バー１７が左右に動かないようにしている。
【００４７】
また、図３に示す固定部材３６に代えて、図１２（Ａ）〜図１２（Ｃ）に示すように、固定部材４３および固定部材４４を用いてもよい。固定部材４３は、右下板３１の背面にねじ部材４５を用いて固定されている。固定部材４３の下端には、鉤状部４３ａが形成されており、キャビネット４の天板４６の後端下部に形成された凸部４６ａに引っ掛けられている。
【００４８】
固定部材４４は、断面略Ｌ字状をしており、背板５の上板３３および右下板３１にねじ部材４７を用いて固定されている。
なお、図３に示す固定部材３７に代えて、固定部材４３，４４と同様の固定部材を用いてもよい。
また、係止機構としては、薄型テレビ１００を背支柱１０に係止できるものであればよく、たとえば、薄型テレビ１００の背面１００ａに固定された鉄板製の部材をブラケット１６にねじ止めして固定するものであってもよい。
【００４９】
さらに、キャビネット４に代えて、板状の部材をベースフレーム２およびサブフレーム３の上面に結合し、この板状の部材によってベースフレーム２およびサブフレーム３を隠すようにしてもよい。
【図面の簡単な説明】
【００５０】
【図１】本発明の一実施形態にかかる薄型ＴＶ用ラックの概略構成を示す斜視図であり、薄型ＴＶ用ラックを前側から見た状態を示している。
【図２】薄型ＴＶ用ラックを後側から見た斜視図である。
【図３】薄型ＴＶ用ラックの分解斜視図である。
【図４】（Ａ）は、薄型ＴＶ用ラックの正面図であり、（Ｂ）は、薄型ＴＶ用ラックの右側面図である。
【図５】図４（Ａ）のＶ−Ｖ線に沿う要部の断面図である。
【図６】背板を取り外した状態の薄型ＴＶ用ラックの斜視図である。
【図７】図６のフックの周辺の要部の断面図である。
【図８】背板の取り付けの一例について説明するための斜視図である。
【図９】（Ａ）は、この発明の別の実施形態の要部の側面図であり、（Ｂ）は、図９（Ａ）のＩＸＢ−ＩＸＢ線に沿う断面図である。
【図１０】この発明のさらに別の実施形態の要部の斜視図である。
【図１１】この発明のさらに別の実施形態の要部の断面図である。
【図１２】（Ａ）は、この発明のさらに別の実施形態の要部の背面図であり、（Ｂ）は、図１２（Ａ）のＸＩＩＢ−ＸＩＩＢ線に沿う断面図であり、（Ｃ）は、図１２（Ａ）のＸＩＩＣ−ＸＩＩＣ線に沿う断面図である。
【符号の説明】
【００５１】
１  薄型ＴＶ用ラック
２  ベースフレーム
４  キャビネット
５  背板（後壁）
６  キャスター
１０  背支柱
１３  係止機構（係止手段）
１７  バー
１８  フック
２７  配線引き回しスペース
３１ａ，３１ｂ，３２ａ，３２ｂ，３３ｂ  当接面
３１ｃ，３２ｃ，３３ｃ  凹部
１００  薄型テレビ
１００ａ  背面
１０１  配線
【図１】
2008252687.tif 000003
【図２】
2008252687.tif 000004
【図３】
2008252687.tif 000005
【図４】
2008252687.tif 000006
【図５】
2008252687.tif 000007
【図６】
2008252687.tif 000008
【図７】
2008252687.tif 000009
【図８】
2008252687.tif 000010
【図９】
2008252687.tif 000011
【図１０】
2008252687.tif 000012
【図１１】
2008252687.tif 000013
【図１２】
2008252687.tif 000014